(57)【要約】【課題】風雅さを備えつつも新たな利便性を備えた扇子を提供すること。【解決手段】扇子１００は、一対の親骨１と、該一対の親骨１の間に複数の骨部３によって重畳および展開可能に取り付けられた扇面２と、前記複数の骨部が軸支される基端部４から構成され、一対の親骨１の一方かつ基端部４と対向する位置に一または複数のＩＣチップ１０を備える。【選択図】  図１
0003192861.tif 000002
【実用新案登録請求の範囲】
【請求項１】
一対の親骨と、該一対の親骨の間に複数の骨部によって重畳および展開可能に取り付けられた扇面と、前記親骨および前記複数の中骨が軸支される基端部を備える扇子であって、
前記一対の親骨の一方かつ前記基端部と対向する位置に一または複数のＩＣチップを備えることを特徴とする扇子。
【請求項２】
前記基端部と対向する位置にはくぼみが形成されており、前記ＩＣチップは該くぼみに収納され、
前記ＩＣチップが収納されたくぼみを被覆し開閉可能な蓋部をさらに備えることを特徴とする請求項１に記載の扇子。
【請求項３】
前記一対の親骨および前記複数の中骨はプラスチックから形成されることを特徴とする請求項１または２に記載の扇子。
【請求項４】
一対の親骨と、該一対の親骨の間に複数の中骨によって重畳および展開可能に取り付けられた扇面と、前記親骨および前記複数の中骨が軸支される基端部を備える扇子であって、
前記扇面の山折り部および谷折り部の間に印刷された一または複数の二次元コードを備えることを特徴とする扇子。
【請求項５】
前記二次元コードは、カメレオンコードであることを特徴とする請求項４に記載の扇子。
【請求項６】
前記二次元コードを前記扇面の両面に備えることを特徴とする請求項４または５に記載の扇子。
【請求項７】
前記一対の親骨の一方かつ前記基端部と対向する位置に一または複数のＩＣチップをさらに備えることを特徴とする請求項４乃至６のいずれか一項に記載の扇子。
【考案の詳細な説明】
【技術分野】
【０００１】
本考案は、種々の情報を埋め込むことにより利便性を向上させることが可能な扇子に関する。
【背景技術】
【０００２】
手で扇ぐことにより風を起こして涼を取る簡易な納涼手段として、従来扇子が広く用いられている。扇子は、うちわと同様の機能を持つが、折りたたんで棒状にすることができる点でうちわよりも携帯性に優れており、またその形状や使用する態様が風雅さを持つことから、従前より愛好者が存在している。また、近年では扇子を様々な用途に使用する仕組みが提案されている。例えば、特許文献１は、展開平面体を組み立てて、扇子やうちわだけでなく、メガホンとしても使用可能な扇子を提案している。また、非特許文献１は、１／３〜１／２およびそれ以上に展開して風を送る扇子に、円形に全開し、かつその左右側縁を連結して帽子になる、扇子と帽子とを兼用する扇子兼用帽子を提案している。
【先行技術文献】
【特許文献】
【０００３】
【特許文献１】特許公開平８−２２２８７号公報
【非特許文献】
【０００４】
【非特許文献１】登録実用新案第３０４６３５４号
【考案の概要】
【考案が解決しようとする課題】
【０００５】
近年では、扇子は海外でも我が国独自の文化として人気を博しており、購入者も年々増加傾向にある。日本への海外旅行者は、旅行の際に公共交通の利用方法、経路情報の入手、無料公衆無線ＬＡＮ環境、飲食店の情報の入手、コミュニケーション、クレジットカードや両替などお金に関する環境に不便を抱いている。一例として、プリペイドカードなどの電子マネーにより金銭に係る課題を解決することができるが、名刺大のカードであることがほとんどであり、かばんの中などにしまってあるような場合、使用する際に取り出しづらい。
【０００６】
上記従来技術のように、扇子を別の形態として利用する方法が提案されているものの、風雅、かつ海外旅行者などにとって更なる利便性が追加された道具としての扇子は提案されていない。
【０００７】
本考案は、上記課題の少なくとも一つを解決するために成されたものである。本考案は、風雅さを備えつつも新たな利便性を備えた扇子を提供することを目的とする。
【課題を解決するための手段】
【０００８】
本考案の一実施形態の扇子は、一対の親骨と、該一対の親骨の間に複数の骨部によって重畳および展開可能に取り付けられた扇面と、前記親骨および前記複数の中骨が軸支される基端部から構成される扇子であって、前記一対の親骨の一方かつ前記基端部と対向する位置に一または複数のＩＣチップを備える。
【０００９】
また、本考案の別の実施形態の扇子は、一対の親骨と、該一対の親骨の間に複数の中骨によって重畳および展開可能に取り付けられた扇面と、前記親骨および前記複数の中骨が軸支される基端部を備える扇子であって、前記扇面の山折り部および谷折り部の間に印刷された一または複数の二次元コードを備える。
【考案の効果】
【００１０】
本考案により、風雅さを備えつつも新たな利便性を備えた扇子を提供することが可能となる。具体的には、薄い名刺大のカードに比較して、扇子は折りたたんだ状態では棒状であり、使用する際に取り出しづらいという従来のプリペイドカードが持つ課題を解決する。また、風雅で常時携帯可能な道具にプリペイド機能を付加することにより、特に海外からの観光客の興味を引き、プリペイド機能の使用を促進、すなわち、みやげ品などの購入を促進することが可能となる。また、扇子に印刷したカメレオンコードで各種情報を照会可能とすることで、外国人へ日本文化をアピールし、日本への興味を持たせ、関連商材の販売を促進できる。
【図面の簡単な説明】
【００１１】
【図１】本考案の一実施形態のＩＣチップを備える扇子の一例を示す図である。
【図２】本考案の一実施形態のカメレオンコードを備える扇子の一例を示す図である。
【図３】図１の扇子の利用例を示す図である。
【図４】図２の扇子の利用例を示す図である。
【考案を実施するための形態】
【００１２】
（実施例１）
以下、本考案の各実施形態を図面を参照して説明する。図１は、本考案の扇子１００を示す。図１に示すように、扇子１００は、一対の親骨１と、該一対の親骨１の間に複数の中骨３によって重畳および展開可能に取り付けられた扇面２と、親骨１および複数の中骨３が軸支される基端部４と、一対の親骨に取付けられたＩＣチップ１０と、ＩＣチップを被覆し開閉可能な蓋部２０とを備える。扇面２は、一対の親骨１と複数の中骨３とに貼着されている。なお、図１は扇子１００の扇面２を展開させた状態を示す。
【００１３】
実施例１において、親骨１および中骨３はプラスチックで構成されることを想定している。しかしながら構成材料はこれに限定されず、木材、厚紙、石膏など任意の材料から構成されてよい。また、親骨１の一方には、重畳して各骨部が軸支される基端部４の対向する先端部にくぼみが設けられている。このくぼみにはＩＣチップ１０が設置されている。このＩＣチップは、例えばプリペイドカードに利用される集積回路である。くぼみはＩＣチップを格納可能であれば形状は図１に示す例に限定されず任意の形状でよく、くぼみの深さも同様に任意の深さであってよい。また、ＩＣチップ１０が設置されるくぼみの位置は任意の位置であってよいが、持ち手側である基端部４によってＩＣチップ１０の利用が阻害されることを防止するため、親骨１の中心部よりも先端側に設けられることが望ましい。
【００１４】
ＩＣチップ１０の上部には透明の蓋部２０が開閉可能に取り付けられ、ＩＣチップ１０を被覆する。よって、ＩＣチップ１０を設置する際には、蓋部２０を開いてＩＣチップを設置し、蓋部２０を閉める。これにより、使用済みのＩＣチップ１０の差し替えを可能とする。蓋部２０としては、扉のように開閉・旋回可能に構成することもでき、スライド式に前後に摺動するよう構成することもできる。なお、実施例１では蓋部２０を備えＩＣチップ１０の差し替えを可能とする構成を例に説明したが、当然ながら蓋部２０を備えない構成でＩＣチップ１０を設置することも可能である。この場合、ＩＣチップ１０の差し替えはできないが、扇子を安価に製造することができる。
【００１５】
図３は、実施例１の扇子の利用例を示す図である。ここでは、利用者が、扇子１００を折り畳んだ状態で任意の店舗のレジで会計をしている。利用者はかばんや財布などからプリペイドカードや金銭を取り出すことなく、扇子をかざすだけで商品を購入することができる。また、扇子という雅な道具を用いて会計を行うことができるので、顧客満足度を向上させることができる。
【００１６】
上記したように、実施例１の考案に係る扇子１００によれば、プリペイドカードなど薄い名刺大のカードに比較して、扇子は折りたたんだ状態では棒状であり、使用する際に取り出しづらいという従来のプリペイドカードが持つ課題を解決することが可能となる。また、風雅で常時携帯可能な道具にプリペイド機能を付加することにより、特に海外からの観光客の興味を引き、プリペイド機能の使用を促進、すなわち、みやげ品などの購入を促進することが可能となる。
【００１７】
（実施例２）
図２は、本考案の別の実施形態の扇子１００を示す図である。親骨１、扇面２、中骨３、基端部４の構成は実施例１で説明した内容と同等のため説明を省略する。図２の扇子は、ＩＣチップ１０および蓋部２０を備えていないが、扇面２の山折り部および谷折り部の間に印刷されたカメレオンコード５０を備える。カメレオンコードとは非接触型の画像解析技術の一つであり、カラーバーコードと呼ばれることもある。カメレオンコードは、一般的に黒い下地に水色・紫・黄・緑・赤・青・オレンジの最大８色を基本構成とした二次元の色配列で構成される。ＱＲコード（登録商標）の場合カメラに画像全体の８０％が含まれていなければ認識しないが、カメレオンコードは動画認識の場合、画像全体の２％、静止画像の場合、画像全体の０．１５％程度の大きさでコードが含まれていれば認証が可能である。
【００１８】
本考案では、扇子の折り目と折り目の間にカメレオンコード５０を縦に印刷し、該カメレオンコード５０をスマートフォンなどの端末装置で読み取ることにより、各種情報を参照可能とする。カメレオンコードは大きさや読み取る向きに制約が無いため、このような使い方が可能となる。この例では、扇面２にはカメレオンコード５０が一つ表示されているが、当然ながら複数のカメレオンコード５０が印刷されてよく、例えば、扇面の表面と裏面の双方に印刷される構成でもよい。あるいは、親骨１の構成材料に応じて、親骨１の側面にカメレオンコード５０が印刷されてもよい。各種情報の例としては、外国人観光客向けに公共交通の利用方法、経路情報、日本料理のレシピ、食材購入できる店の紹介、日本文化の紹介などがあるがこれに限られない。なお、本考案ではカメレオンコード５０を備える構成を例に説明したが、ＱＲコード（登録商標）やＳＰコードなど任意の二次元コードが印刷されてもよい。例えば、カメレオンコードとＱＲコード（登録商標）とＳＰコードとが組み合わされて一つの扇子１００に印刷されてもよい。また、図１に示す扇子が備えるＩＣチップ１０がカメレオンコード５０と組み合わされて一つの扇子１００に提供されてもよい。これにより、扇子１００はさらに多くの情報を提供することが可能となる。
【００１９】
図４は、実施例２の扇子１００の利用例を示す図である。ここでは、利用者が、扇子１００を展開させた状態で、スマートフォンなどの端末装置を利用してカメレオンコード５０を照会している。利用者は、扇子に印刷されたカメレオンコードを照会することで各種情報を取得することができる。よって、例えば外国人へ日本文化をアピールし、日本への興味を持たせ、関連商材の販売を促進できる。
【００２０】
以上、実施例１および実施例２を通して説明した本考案によれば、風雅さを備えつつも新たな利便性を備えた扇子を提供することが可能となる。
【符号の説明】
【００２１】
１００  扇子
１０  ＩＣチップ
５０  カメレオンコード
【図１】
0003192861.tif 000003
【図２】
0003192861.tif 000004
【図３】
0003192861.tif 000005
【図４】
0003192861.tif 000006